(57)【要約】【課題】弾球遊技機の構成部品をリサイクルのために選別する際、ラベルの剥離作業を不要にし、選別作業の能率化を図る。【解決手段】弾球遊技機の前面側に配設され遊技者に視認可能な飾り枠１２の表面に装飾模様や景品球の払出個数等の情報を表示するラベル２６が貼着された弾球遊技機において、前記ラベル２６を貼着するための表示部材２３を飾り枠１２とは別体に形成し、かつ、該飾り枠１２に表示部材２３を嵌合する嵌合孔２４を設け、さらに前記表示部材２３を複数形成して、該複数の表示部材２３の裏面をリンク部材２５によって連結し、連結された表示部材２３を飾り枠１２の裏面側からその嵌合孔２４に着脱自在に装着し得るようにしたことを特徴としている。【選択図】図３
2008259872.tif 000002
【特許請求の範囲】
【請求項１】
弾球遊技機の前面側に配設され遊技者に視認可能な構成部品の表面に装飾模様や景品球の払出個数等の情報を表示するラベルが貼着された弾球遊技機において、
前記ラベルを貼着するための表示部材を構成部品とは別体に形成し、かつ、該構成部品に表示部材を嵌合する取付部を設け、前記表示部材を構成部品の取付部に着脱自在に装着し得るようにしたことを特徴とする弾球遊技機。
【請求項２】
前記表示部材を複数形成すると共に、該複数の表示部材の裏面をリンク部材によって連結し、連結された表示部材を構成部品の裏面側からその取付部に着脱自在に装着し得るようにしたことを特徴とする請求項１記載の弾球遊技機。
【請求項３】
弾球遊技機の前面側に配設される構成部品に装飾模様や景品球の払出個数等の情報を表示するラベルが貼着された弾球遊技機において、
前記構成部品の遊技者から視認可能な位置にラベルを貼着する表示部を備えた外装カバーを着脱自在に装着したことを特徴とする弾球遊技機。
【請求項４】
弾球遊技機の前面側に配設され遊技者に視認可能な構成部品の表面に装飾模様や景品球の払出個数等の情報を表示するラベルが貼着された弾球遊技機において、
前記構成部品は、該構成部品に貼着するラベルと互いに相溶性のある熱可塑性合成樹脂により形成されていることを特徴とする弾球遊技機。
【発明の詳細な説明】
【技術分野】
【０００１】
本発明は、弾球遊技機に係り、さらに詳しくは弾球遊技機の前面側に配設され遊技者に視認可能な構成部品の表面に装飾模様や景品球の払出個数等の情報を表示するラベルが貼着された弾球遊技機に関するものである。
【背景技術】
【０００２】
従来から弾球遊技機の前面側に配設された合成樹脂製の枠飾り、電動役物、大入賞口、操作ハンドル、球受皿等の種々の構成部品には、遊技者の注意を引くために装飾模様を施し、あるいは景品球の払出個数等、遊技者に必要な様々な情報を表示するといったことが行われている。そして、このような模様や情報の表示は、簡便性やコストの面から裏面に接着剤が施されたラベルに印刷し、該ラベルを直接構成部品の適宜箇所に貼り付けることによって行われているのが実情である。
【０００３】
ところで、今日においては地球環境保全等の観点からリサイクルの必要性が各種産業分野において重要視されるようになってきている。この点は弾球遊技機等の製造分野においても同様で弾球遊技機の各部品を可能な限りリサイクルしていこうとする動きが活発化している。このようなリサイクルとして具体的には、まず、使い尽くされた弾球遊技機のうち、熱可塑性合成樹脂製の構成部品を材質によって分別し、分別された同一の材質からなるものをシュレッダによってペレット状に破壊した後、加熱溶融して全体を均質化し、得られた再生樹脂を再度利用するといういわゆるマテリアルリサイクルの方法が採られている。
【発明の開示】
【発明が解決しようとする課題】
【０００４】
しかしながら、各種構成部品のマテリアルリサイクルを図ろうとした場合、上記したように部品にラベルが貼り付けられていると、当該ラベルと合成樹脂製の部品とは異質材料によって構成されていることから、ラベルが貼り付けられた状態のまま該部品を破壊し溶融してしまうと両者が互いに溶け合わず再生樹脂の機械特性が著しく低下するという問題が生じる。そのため、従来はリサイクルのための分別作業において各種構成部品に貼り付けられたラベルをいちいち手作業で剥がさなければならず、剥離作業に多くの時間や労力を要してしまうといった問題を有していた。
【０００５】
そこで、本発明は上記した問題点に鑑みてなされたもので、請求項１又は請求項２に記載された発明は、弾球遊技機の前面側に配設された構成部品に装飾模様や種々の情報を表示したラベルを貼着するための表示部材を着脱自在に装着し得るようにして、弾球遊技機の構成部品をリサイクルのために選別する際、ラベルの剥離作業を不要にし、選別作業を容易になしうるようにすることを目的とするものである。さらに、請求項３記載の発明は、弾球遊技機の前面側に配設された構成部品の遊技者から視認可能な位置にラベルを貼着する表示部を備えた外装カバーを着脱自在に装着し得るようにして、弾球遊技機の構成部品をリサイクルのために選別する際、ラベルの剥離作業を不要にし、選別作業を容易になしうるようにすることを目的とするものである。さらに、請求項４記載の発明は、弾球遊技機の前面側に配設された構成部品を、該構成部品に貼着するラベルと互いに相溶性のある熱可塑性合成樹脂により形成して、弾球遊技機の構成部品をリサイクルのために選別する際、ラベルの剥離作業を不要にし、選別作業を容易になしうるようにすることを目的とするものである。
【課題を解決するための手段】
【０００６】
上記目的を達成するために請求項１に係る発明は、弾球遊技機の前面側に配設され遊技者に視認可能な構成部品の表面に装飾模様や景品球の払出個数等の情報を表示するラベルが貼着された弾球遊技機において、前記ラベルを貼着するための表示部材を構成部品とは別体に形成し、かつ、該構成部品に表示部材を嵌合する取付部を設け、前記表示部材を構成部品の取付部に着脱自在に装着し得るようにしたことを特徴とする。
【０００７】
また、好ましい態様として請求項２に係る発明のように、前記表示部材を複数形成すると共に、該複数の表示部材の裏面をリンク部材によって連結し、連結された表示部材を構成部品の裏面側からその取付部に着脱自在に装着し得るようにしてもよい。さらに好ましくは、前記表示部材は、該表示部材に貼着するラベルと互いに相溶性ある熱可塑性合成樹脂により形成するとよい。
【０００８】
また、請求項３に係る発明は、弾球遊技機の前面側に配設された構成部品に装飾模様や景品球の払出個数等の情報を表示するラベルが貼着された弾球遊技機において、前記構成部品の遊技者から視認可能な位置にラベルを貼着する表示部を備えた外装カバーを着脱自在に装着したことを特徴とする。
【０００９】
また、前記外装カバーは、構成部品の表面形状に対応して形成することが好ましい。さらに、前記外装カバーを透明な合成樹脂によって形成すると共に、前記ラベルの表示面に接着剤を塗布し、前記外装カバーの裏面側にラベルを貼着してもよく、あるいは前記外装カバーに係止部を設けると共に、該外装カバーの前面に透明の合成樹脂シートを被覆してもよい。また、前記外装カバーは、該外装カバーに貼着するラベルと互いに相溶性ある熱可塑性合成樹脂により形成することが好ましい。
【００１０】
また、請求項４に係る発明は、弾球遊技機の前面側に配設され遊技者に視認可能な構成部品の表面に装飾模様や景品球の払出個数等の情報を表示するラベルが貼着された弾球遊技機において、前記構成部品は、該構成部品に貼着するラベルと互いに相溶性のある熱可塑性合成樹脂により形成されていることを特徴とする。
【発明の効果】
【００１１】
本発明は、弾球遊技機の前面側に配設された構成部品に装飾模様や種々の情報を表示したラベルを貼着するための表示部材あるいは外装カバーを着脱自在に装着し得るようしたことから、弾球遊技機の構成部品をリサイクルのために選別する際、ラベルの剥離作業を不要にし、選別作業の能率化を図りうる。
【発明を実施するための最良の形態】
【００１２】
次に、図面を参照して本発明弾球遊技機の１実施形態をパチンコ機に具体化した例により説明する。図１は本発明に係る第１実施の形態のパチンコ機の正面図であり、該パチンコ機は機枠１と、該機枠１の前面に開閉自在に装着された前面枠２とから構成されている。該前面枠２はほぼ中央部に開口部が設けられた額縁状に形成されており、この開口部の前面にはガラス扉３と前面板４とが開閉自在に軸支されている。また、ガラス扉３の後方であり、かつ開口部の裏面部分には遊技盤取付枠を介して遊技盤５が着脱自在に装着されている。そして、遊技盤５には、構成部品としての可変表示装置９、始動入賞口１０、大入賞口１１、飾り枠１２が配設されており、さらに、前面板４の前面には構成部品としての打球供給皿１３が装着され、前面枠２の下部には構成部品としての下部玉受皿１４と打球発射用の操作ハンドル１５とが装着されている。
【００１３】
前記遊技盤５の前面には、操作ハンドル１５の回動操作によって発射された遊技球を誘導操作するための誘導レール１６が円形状に配設され、該誘導レール１６で区画された領域が遊技領域として構成されている。この遊技領域の中央には可変表示装置９が配設され、その下方には始動入賞口１０と大入賞口１１が配設されている。また、遊技領域には構成部品としての一般入賞口１７や風車１８等が設けられている。一方、前記遊技領域の外側（以下「非遊技領域」という）上部周囲には飾り枠１２が配置されている。
【００１４】
図２は本発明に係る弾球遊技機の第１実施の形態についての主要部分を示した拡大斜視図、図３はその断面図である。具体的には本発明を弾球遊技機の前面側に配設した構成部品のうち、飾り枠１２に適用した例を示している。飾り枠１２は平板状の平面部１９の周りに側壁２０を周設してなり、該側壁２０の遊技領域側の内側面は誘導レール１６に沿って円弧状に形成されている。また、飾り枠１２の裏面には遊技盤８に形成された孔に合致して挿入される断面十字状の突起２２，２２が設けられている。さらに、飾り枠１２の平面部１９の左右両側には表示部材２３が嵌合される取付部としての嵌合孔２４が貫通されている。ここで、表示部材２３は、いずれも合成樹脂製の筒状の部材であり、その内部は中空状に形成されたものである。また、好ましい態様として、例えば請求項２記載のように複数の表示部材２３の裏面側にリンク部材２５を設けて表示部材２３を相互に連結させてもよい。これら表示部材２３の前面には装飾模様や景品球の払出個数等の情報を表示するラベル２６が接着剤を介して貼着される。図１及び図２に示すラベル２６には「ＬＵＣＹ」「ＳＴＯＰ」「６＆１３」「大工の源さん」といった文字が印刷されているが、これ以外にもラベルに色彩を組合わせた模様を表したり、あるいはキャラクターを印刷してもよい。また、ラベル２６に使用される接着剤は接着剤、粘着剤、被着体の間に挟んで熱と圧力をかけて被着体を接合する接着フィルム等のすべてが含まれる。なお、本実施の形態では構成部品としての飾り枠１２に本発明を適用した例を示したが上記した他の構成部品に適用することも勿論可能であって、図１に示された打球供給皿１３には、本発明が適用されている。
【００１５】
上記した表示部材２３の装着は、飾り枠１２の後面側から挿入し、該飾り枠１２の嵌合孔２４に嵌合させる。一方、表示部材２３を飾り枠１２から取り外すときは、飾り枠の後面側から、該表示部材２３を抜出すればよく、特に先に示したように複数の表示部材２３をリンク部材２５で連結している場合、１つの表示部材２３を抜出すれば同時に複数の表示部材２３を取り外せるので、リサイクルのための選別作業がきわめて容易になる。
【００１６】
図４及び図５は本発明に係る弾球遊技機の第２実施の形態についての主要部分を示した拡大斜視図である。具体的には図４及び図５は本発明を弾球遊技機の前面側に配設した構成部品のうち、大入賞口１１に適用した例を示している。ここで示される大入賞口１１は周知の構造のものであり、以下本発明と関わる部分、すなわち、遊技盤５の表面に取り付けられる取付板３０に基づいて説明する。前記取付板３０の中央部分には横長の球入口３１が形成され、該球入口３１の前面には図示しない開閉扉が前後方向へ開閉自在に設けられる。また、球入口３１の左右両側には外装カバー３２を装着させるための係止孔３３，３３が穿設され、該係止孔３３，３３の左右両側には一般入賞口３４，３４が前方に張り出して配設されている。そして、この大入賞口１１に外装カバー３２が装着される。
【００１７】
前記外装カバー３２は取付板３０の前面の略全体を被覆するように取付板３０と略同一形状で形成されている。また、外装カバー３２は取付板３０の球入口３１に対応して中央部分に開口３５が形成されると共に、取付板３０の一般入賞口３４，３４の張り出しに対応して凸部３６，３６が形成されている。さらに、外装カバー３２の裏面であって開口３５の左右両側には先端に爪部が形成され取付板３０の係止孔３３，３３にそれぞれ合致する係止部としての係止片３７，３７が設けられている。そして、外装カバー３２の前面には装飾模様や景品球の払出個数等の情報を表示するラベル３８が接着剤を介して貼着されている。
【００１８】
なお、上記外装カバー３２は、取付板３０の表面形状に対応して形成されれば足り、例えば、上記した一般入賞口３４，３４以外に取付板３０の前方に張り出して形成されているものがあるときはその張り出しに合わせた形状にすればよく、取付板３０に窪みがあるときは外装カバー３２にも窪みを設けるなど被覆物に合わせて任意の形状を採用できる。また、外装カバー３２は上記例で示したように取付板３０の前面略全体を被覆するものに限られるわけではなく、図５に示すように取付板３０の前面の一部を被覆するような構成も採用しうる。さらに、外装カバー３２に設けられる取付部についても図示したものに限られるわけではない。  
【００１９】
図６は本発明に係る弾球遊技機の第３実施の形態についての主要部分を示した拡大斜視図である。具体的には、図６は始動入賞口１０に適用した例を示している。始動入賞口１０は取付基板４０と、開閉翼片４１，４１と、球受口４２によって概略構成されており、球受口４２の前面に外装カバー４３が装着される。
【００２０】
図６に示す外装カバー４３は、透明の合成樹脂によって形成された前面板４４と該前面板４４の裏面側にその先端に爪部を設けた係止部としての係止片４５，４５を突設させて構成されている。そして、該外装カバー４３の前面板４４の裏面に「ＳＴＡＲＴ」の文字が印字されたラベル４６が貼着されている。この前面板４４とラベル４６とは、ラベル４６の表示面、すなわち、装飾模様や文字情報が印刷されている面に接着剤を塗布して貼着される。このように構成された外装カバー４３はラベル４６が透明の合成樹脂製の前面板４４によって被覆されているので、装着時において、遊技盤を流下する遊技球の摩擦等によるラベル４６表面の磨耗を防止することにもなる。
【００２１】
図７は本発明に係る弾球遊技機の第４実施の形態についての主要部分を示した拡大斜視図であり、上記第３実施の形態と同じく始動入賞口１０に適用した例を示している。この実施の形態では、外装カバー５０は前面板５１の前面にラベル５２及び透明の合成樹脂カバー５３が貼着されて構成されている。すなわち、外装カバー５０の前面板５１の前面に接着剤を介してラベル５２が貼着され、さらにラベル５２の前面に接着剤を介してカバー５３が貼着されている。また、外装カバー５０の前面板５１の裏面には係止部としての二条の係止凸状５４，５４が形成されており、この係止凸状５４，５４を球受口４２の嵌合溝５５，５５にスライドさせることにより外装カバー５０を着脱することができる。なお、本実施の形態の係止部は上記したものに限られず、先端に爪部を設けた係止片等、種々の態様のものを適用することができる。
【００２２】
図８は本発明に係る弾球遊技機の第５実施の形態についての主要部分を示した拡大斜視図である。具体的には、図８は可変表示装置９に適用した例を示している。ここで示される可変表示装置９は、周知の構造のものであり、遊技盤５の表面に取り付けられる取付基板６０と、その内部に設けられた図柄表示部とによって概略構成されている。以下本発明と関わる部分、すなわち、取付基板６０に基づいて説明する。取付基板６０は枠状の略円形形状に形成され、その中央に開口６１が開設されている。この開口６１の上部には遊技球を受け入れる入球口６２を有する振分通路６３が取り付けられており、さらに該振分通路６３の下方には取付基板６０の左右内周縁に沿って送込通路６４，６４が設けられている。また、取付基板６０の下方内周縁には、遊動通路６５が設けられ、さらにその後方には、図柄表示部を囲む壁部材６６が配設されている。そして、ここでは、前記壁部材６６及び前記取付基板６０の下方に外装カバー６７がそれぞれ装着されている。
【００２３】
前記外装カバー６７は、透明の合成樹脂によって形成された前面板６８と該前面板６８の裏面側にその先端に爪部を設けた係止部としての係止片６９，６９を突設させて構成されている。そして、該外装カバー６７の前面板６８の裏面にラベル７０が貼着されている。このように構成された外装カバー６７はラベル７０が透明の合成樹脂製の前面板６８によって被覆されているので、装着時において、遊技球の摩擦等によるラベル７０表面の磨耗等を防止することにもなる。特に外装カバー６７が貼着される位置は、可変表示装置９の入球口６２から入球し、振分通路部材６３及び送込通路部材６４を流下してきた多数の遊技球が通過する箇所であるためその効果が大きい。なお、本実施の形態の外装カバーは上記したものに限られず外装カバーの前面にラベルを貼着して構成されるものでもよい。また、本実施の形態では可変表示装置によって説明したが、これに限定されるわけではなくいわゆるヒコーキタイプの可変入賞装置等の中央役物に適用可能である。
【００２４】
次に本発明に係る弾球遊技機のリサイクルの手順について説明する。弾球遊技機は遊技店にて使用され一定期間が経過すると、新台の入れ替え時期になり、当該遊技機は不要になる。そして不要になった遊技機は解体されてリサイクルのために再生利用するものと、再生利用しないものとに構成部品がそれぞれ分別される。ここで、該弾球遊技機の構成部品のうち、熱可塑性合成樹脂により成形されているもの、例えば、上記した例に示したものでは可変表示装置９、始動入賞口１０、大入賞口１１、飾り枠１２、打球供給皿１３、下部玉受皿１４、打球発射用の操作ハンドル１５等の樹脂部分は互いに相溶性のあるものに分別した後、シュレッダによって破壊し、これを加熱して溶融し、再生品に成形する。なお、一般に弾球遊技機の構成部品は、ＡＢＳ樹脂（アクリル・ブタジエン・スチレン）、ＰＣ（ポリカーボネイト）、ＰＳ（ポリスチレン）等の材料を用いて成形されており、再生樹脂の機械特性などの品質の点からすれば同質のものを用いるのが、特に有利であるが、同質のものでなくても、例えばＰＳ（ポリスチレン）に対しては、これと相溶性が認められているＰＣ（ポリカーボネイト）も利用できる。
【００２５】
さらに、上に示した実施の形態に即してリサイクルの手順を説明する。まず第１実施の形態に示された弾球遊技機では、飾り枠１３の後面側からラベル２６が貼着された表示部材２３を抜出し両者を分別する。このとき、第１に飾り枠１３はリサイクル用に、表示部材２３は廃棄処分用に分別することが考えられる。この場合、飾り枠１３からラベルを剥がすような面倒な作業が不要になり、しかも飾り枠１３からラベル２６が貼着された表示部材２３を抜出することはきわめて容易であるから、リサイクルのための選別作業の能率化を図ることができる。第２に、表示部材２３とこれに貼着されるラベル２６とが互いに相溶性ある熱可塑性の合成樹脂により形成されている場合には、飾り枠１３はこれと相溶性ある樹脂と、表示部材２３はこれと相溶性ある樹脂に分別し、それぞれリサイクル用に供することが可能である。第２実施の形態である大入賞口１１に本発明を適用したものでは、大入賞口１１から外装カバー３２を取り外し、大入賞口１１の合成樹脂部分についてはリサイクル用に、外装カバー３２については廃棄処分用に分別される。また、始動入賞口１０に適用された第３及び第４実施の形態においても同様に、始動入賞口１０から外装カバー４３，５０を取り外し、始動入賞口１０の合成樹脂部分についてはリサイクル用に、外装カバー４３，５０については廃棄処分用に分別される。従って、この場合もラベルを剥がすような面倒な作業が不要になり、ひいてはリサイクルのための選別作業の容易化を図ることができる。さらに、外装カバーとこれに貼着されるラベルとが互いに相溶性ある熱可塑性の合成樹脂により形成されている場合には、始動入賞口１０や大入賞口１１はこれと相溶性ある樹脂と、外装カバー４３，５０はこれと相溶性ある樹脂に分別し、それぞれリサイクル用に供することが可能である。なお、弾球遊技機の種々の構成部品がこれに貼着するラベルと互いに相溶性のある熱可塑性合成樹脂により形成されている場合には、構成部品とラベルと分別することなく再生利用することができる。また、表示部材、外装カバーが例えばＥＶＡ等により成形されていれば、表示部材、外装カバーを廃棄処分用に分別しこれを焼却するような場合でもダイオキシンの発生を防止するという効果が得られる。
【図面の簡単な説明】
【００２６】
【図１】本発明に係る弾球遊技機の１実施の形態であるパチンコ機の正面図。
【図２】本発明に係る弾球遊技機の第１実施の形態についての主要部分を示した拡大斜視図。
【図３】図１に示した第１実施の形態の断面図。
【図４】本発明に係る弾球遊技機の他の実施の形態についての主要部分を示した拡大斜視図。
【図５】本発明に係る弾球遊技機の他の実施の形態についての主要部分を示した拡大斜視図。
【図６】本発明に係る弾球遊技機の他の実施の形態についての主要部分を示した拡大斜視図。
【図７】本発明に係る弾球遊技機の他の実施の形態についての主要部分を示した拡大斜視図。
【図８】本発明に係る弾球遊技機の他の実施の形態についての主要部分を示した拡大斜視図。
【符号の説明】
【００２７】
１０                        始動入賞口（構成部品）
１１                        大入賞口（構成部品）
１２                        飾り枠（構成部品）
２３                        表示部材
２４                        嵌合孔（取付部）
２５                        リンク部材
２６                        ラベル
３２，４３，５０，６７      外装カバー
３７，４５，６９            係止片（係止部）
３８，４６，５１，７０      ラベル
５４                        係止凸状（係止部）
【図１】
2008259872.tif 000003
【図２】
2008259872.tif 000004
【図３】
2008259872.tif 000005
【図４】
2008259872.tif 000006
【図５】
2008259872.tif 000007
【図６】
2008259872.tif 000008
【図７】
2008259872.tif 000009
【図８】
2008259872.tif 000010